(57)【特許請求の範囲】
【請求項１】
板状部、およびこの板状部から当該板状部の中心軸線が沿う第１方向に延出する複数の係止軸を有するフレーム本体と、
中央に上記複数の係止軸を嵌入させる孔を有し、当該孔に上記複数の係止軸を嵌入させることにより上記フレーム本体に取り付けられる押さえ板と、を備え、
上記各係止軸は、上記第１方向と交差する方向に突出する第１係止部を有し、
上記押さえ板は、上記孔を囲む内周縁部分に設けられ、上記孔に上記複数の係止軸を嵌入させたときに上記第１係止部と係合することにより、上記複数の係止軸に対する上記押さえ板の抜け出しを制限する第１被係止部を有し、
上記孔に上記複数の係止軸を嵌入させるとき、上記第１被係止部と上記第１係止部とが当接しつつ上記係止軸が上記中心軸線に近づくように弾性変形可能であり、
上記押さえ板は、各々が上記孔に近接する側と上記孔から離間する側とに形成されたスリットにより挟まれ、かつ上記孔を挟んで対をなして設けられた一対の可動アームを有し、
上記各可動アームは、両端に薄肉状の連結部分を有し、かつ中央部分が一対の上記連結部分を結ぶ線分の中点よりも上記孔から離れるように曲がっている、装飾物保持具。
【請求項２】
上記複数の係止軸は、上記中心軸線を挟んで上記第１方向に垂直である第２方向に離間して対をなすように設けられ、
上記各係止軸の先端には、上記第１方向に突出する突起が設けられており、
上記押さえ板には、上記孔に上記係止軸を嵌入させた状態において、上記孔を挟んで上記第１方向および上記第２方向の双方に垂直である第３方向に離間しており、上記第１方向に延びる一対の起立壁が設けられており、
上記一対の起立壁の先端には、互いが近づくように対向状に延びる一対の第１突部が設けられている、請求項１に記載の装飾物保持具。
【請求項３】
上記各突起には、上記中心軸線から上記第２方向において遠ざかるように延びる第２突部が形成されている、請求項２に記載の装飾物保持具。
【請求項４】
板状部、およびこの板状部から当該板状部の中心軸線が沿う第１方向に延出する係止軸を有するフレーム本体と、
中央に上記係止軸を嵌入させる孔を有し、当該孔に上記係止軸を嵌入させることにより上記フレーム本体に取り付けられる押さえ板と、
上記孔に上記係止軸を嵌入させたときに上記係止軸の上記孔からの抜け出しを制限する抜け止め手段と、を備え、
上記押さえ板は、各々が上記孔に近接する側と上記孔から離間する側とに形成されたスリットにより挟まれ、かつ上記孔を挟んで対をなして設けられた一対の可動アームを有し、
上記各可動アームは、両端に薄肉状の連結部分を有し、かつ中央部分が一対の上記連結部分を結ぶ線分の中点よりも上記孔から離れるように曲がっている、装飾物保持具。
【発明の詳細な説明】
【技術分野】
【０００１】
本発明は、くるみボタンなど、装飾物を保持して用いるための装飾物保持具に関する。
【背景技術】
【０００２】
従来、手芸等の分野において、飾り用の布などの装飾物を保持して使用されるくるみボタンが知られている（たとえば、特許文献１を参照）。特許文献１に記載されたくるみボタンは、中央に軸部（４）を有するフレーム本体（１）と、この軸部を嵌入させる孔（８）を中央に有する押さえ板（７）とを備えている。軸部（４）には係止段部（６）が設けられている。また、フレーム本体（１）の周縁は立ち上がり壁（２）を有し、立ち上がり壁の内側面には複数の係止突起（３）が設けられている。
【０００３】
特許文献１に示されたくるみボタンを使用する際、たとえばフレーム本体（１）の表面を飾り布で覆いつつその周縁部分を立ち上がり壁（２）も内側面に折り込む。そして、押さえ板（７）を、その下周縁（１０）を下側にして孔（８）をフレーム本体（１）の軸部（４）に嵌め合わせ、下方に強制的に押し込む。このようにして、押さえ板（７）がフレーム本体（１）に取り付けられる。押さえ板（７）が取り付けられた状態において、押さえ板（７）については、孔（８）を囲む環状壁（９）が軸部（４）係止段部（６）に係合して上方への移動が制限されるとともに、下周縁（１０）が飾り布の周縁部分を介して係止突起（３）に当接して上方への移動が制限される。軸部（４）の先端には、ボタンを衣服等に縫い付けるのに使用する孔（５）が設けられている。
【０００４】
上記従来の構成によれば、フレーム本体（１）に押さえ板（７）を適切に取り付けることができる。その一方、上記従来のフレーム本体と押さえ板との係合構造においては、くるみボタンとしての使用以外の用途には適していなかった。
【先行技術文献】
【特許文献】
【０００５】
【特許文献１】実開昭６２−６４３１１号公報
【発明の概要】
【発明が解決しようとする課題】
【０００６】
本発明は、このような事情のもとで考え出されたものであって、フレーム本体と押さえ板との係合構造を改善し、用途を広げるのに適した装飾物保持具を提供することを課題としている。
【課題を解決するための手段】
【０００７】
上記の課題を解決するため、本発明では、次の技術的手段を講じている。
【０００８】
本発明の第１の側面によって提供される装飾物保持具は、板状部、およびこの板状部から当該板状部の中心軸線が沿う第１方向に延出する複数の係止軸を有するフレーム本体と、中央に上記複数の係止軸を嵌入させる孔を有し、当該孔に上記複数の係止軸を嵌入させることにより上記フレーム本体に取り付けられる押さえ板と、を備え、上記各係止軸は、上記第１方向と交差する方向に突出する第１係止部を有し、上記押さえ板は、上記孔を囲む内周縁部分に設けられ、上記孔に上記複数の係止軸を嵌入させたときに上記第１係止部と係合することにより、上記複数の係止軸に対する上記押さえ板の抜け出しを制限する第１被係止部を有し、上記孔に上記複数の係止軸を嵌入させるとき、上記第１被係止部と上記第１係止部とが当接しつつ上記係止軸が上記中心軸線に近づくように弾性変形可能である。
【０００９】
好ましい実施の形態においては、上記複数の係止軸は、上記中心軸線を挟んで上記第１方向に垂直である第２方向に離間して対をなすように設けられている。
【００１０】
好ましい実施の形態においては、上記各係止軸の先端には、上記第１方向に突出する突起が設けられており、上記押さえ板には、上記孔に上記係止軸を嵌入させた状態において、上記孔を挟んで上記第１方向および上記第２方向の双方に垂直である第３方向に離間しており、上記第１方向に延びる一対の起立壁が設けられており、上記一対の起立壁の先端には、互いが近づくように対向状に延びる一対の第２係止部が設けられている。
【００１１】
好ましい実施の形態においては、上記各突起には、上記中心軸線から上記第２方向において遠ざかるように延びる第３係止部が形成されている。
【００１２】
好ましい実施の形態においては、上記第１被係止部および上記第１係止部は、上記孔に上記複数の係止軸を嵌入させるときの互いの当接部位が丸みを帯びている。
【００１３】
好ましい実施の形態においては、上記押さえ板は、各々が上記孔に近接する側と上記孔から離間する側とに形成されたスリットにより挟まれ、かつ上記孔を挟んで対をなして設けられており、上記第１方向に向けて起き上げられることによりループ状となる一対の可動アームを有する。
【００１４】
本発明の第２の側面によって提供される装飾物保持具は、板状部、およびこの板状部から当該板状部の中心軸線が沿う第１方向に延出する係止軸を有するフレーム本体と、中央に上記係止軸を嵌入させる孔を有し、当該孔に上記係止軸を嵌入させることにより上記フレーム本体に取り付けられる押さえ板と、上記孔に上記係止軸を嵌入させたときに上記係止軸の上記孔からの抜け出しを制限する抜け止め手段と、を備え、上記押さえ板は、各々が上記孔に近接する側と上記孔から離間する側とに形成されたスリットにより挟まれ、かつ上記孔を挟んで対をなして設けられており、上記第１方向に向けて起き上げられることによりループ状となる一対の可動アームを有する。
【００１５】
本発明のその他の特徴および利点は、添付図面を参照して以下に行う詳細な説明によって、より明らかとなろう。
【図面の簡単な説明】
【００１６】
【図１】本発明に係る装飾物保持具の一例を示す分解斜視図である。
【図２】図１のＩＩ−ＩＩ線に沿う断面図である。
【図３】図１に示す装飾物保持具の組付け状態を示す平面図である。
【図４】図３に示す装飾物保持具の正面図である。
【図５】図３に示す装飾物保持具の右側面図である。
【図６】図３のＶＩ−ＶＩ線に沿う断面図である。
【図７】図３のＶＩＩ−ＶＩＩ線に沿う部分断面図である。
【図８】フレーム本体への押さえ板の取り付け手順を説明するための図７と同様の断面図である。
【図９】装飾物保持具の使用方法を説明するための断面図である。
【図１０】装飾物保持具の使用方法を説明するための断面図である。
【図１１】装飾物保持具の使用方法を説明するための断面図である。
【図１２】装飾物保持具の使用方法を説明するための平面図である。
【図１３】装飾物保持具の使用方法を説明するための要部断面図である。
【発明を実施するための形態】
【００１７】
以下、本発明の好ましい実施の形態について、図面を参照して具体的に説明する。
【００１８】
図１〜図７は、本発明に係る装飾物保持具の一実施形態を示している。本実施形態の装飾物保持具Ａは、フレーム本体１と、このフレーム本体１に取り付けられる押さえ板２とを備え、飾り布などの装飾物を保持するために用いるものである。
【００１９】
フレーム本体１は、平面視において略円形の板状部１０と、この板状部１０から板状部１０の中心軸線Ｏｘに沿う方向ｚに延出する複数（本実施形態では２つ）の係止軸１１，１２と、を有する。
【００２０】
板状部１０は、図２に示すように、径方向外方に向かうにつれて方向ｚ（図中上方）に変位するように湾曲している。２つの係止軸１１，１２は、中心軸線Ｏｘを挟んで方向ｚに垂直である方向ｘ（図２における左右方向）に離間して対をなすように設けられている。係止軸１１，１２は、方向ｚと交差する方向に突出する係止部１１１，１２１を有する。本実施形態では、係止部１１１（１２１）は、後述する押さえ板２の六角形状の孔２０ａの２辺に対応する位置に設けられている。各係止軸１１，１２の先端には、方向ｚに突出する突起１１２，１２２が設けられている。突起１１２，１２２の各々の先端は、丸みを帯びている。突起１１２，１２２には、中心軸線Ｏｘから方向ｘにおいて遠ざかるように延びる係止部１１３，１２３が形成されている。
【００２１】
フレーム本体１は、たとえばポリプロピレンなどの所定の強度を有する合成樹脂により一体形成されたものである。
【００２２】
押さえ板２は、略円盤状の主板部２０を備え、主板部２０の中央には、厚さ方向に貫通する孔２０ａが形成されている。孔２０ａは、六角形状とされており、押さえ板２をフレーム本体１に取り付ける際、この孔２０ａに一対の係止軸１１，１２が嵌入する。主板部２０の厚さは、たとえば１〜１．５ｍｍ程度である。
【００２３】
主板部２０（押さえ板２）には、２つの可動アーム２１，２１が設けられている。可動アーム２１，２１は、方向ｘにおいて離間しており、孔２０ａを挟んで対をなして設けられる。各可動アーム２１は、厚さ方向に貫通するスリット２２，２３に挟まれた部分によって構成される。スリット２２は可動アーム２１に対して孔２０ａに近接する側に設けられ、スリット２３は可動アーム２１に対して孔２０ａから離間する側に設けられる。可動アーム２１は、平面視において略一定幅を有しており、主板部２０との連結部分２１１が厚さ０．３ｍｍ程度の薄肉状とされている。可動アーム２１は、連結部分２１１周りに回動させて方向ｚに向かって起き上げることが可能である。図１１を参照すると理解されるように、当該起き上げられた可動アーム２１は、主板部２０との間でループ状となる。
【００２４】
図１、図３、図６等に表れているように、主板部２０（押さえ板２）には、方向ｚに延びる一対の起立壁２４，２４が設けられている。起立壁２４は、押さえ板２をフレーム本体１に取り付けた状態（孔２０ａに係止軸１１，１１を嵌入した状態）において、孔２０ａを挟んで方向ｚおよび方向ｘの双方に垂直である方向ｙに離間している。これら一対の起立壁２４，２４の先端には、互いが近づくように対向状に延びる一対の係止部２４１，２４１が設けられている。
【００２５】
押さえ板２は、たとえばポリプロピレンなどの所定の強度を有する合成樹脂により一体形成されたものである。
【００２６】
主板部２０（押さえ板２）の孔２０ａに一対の係止軸１１，１２が嵌入されると、主板部２０のうち孔２０ａを囲む内周縁部分が係止軸１１，１２の係止部１１１に係合し、係止軸１１，１１に対する主板部２０（押さえ板２）の抜け出しが制限される。
【００２７】
より詳細には、孔２０ａを囲む主板部２０の内周縁部分のうち、係止軸１１，１２の係止部１１１，１２１と対応する部位が被係止部２０１，２０２とされている（図２、図７参照）。自然状態において、係止軸１１の係止部１１１，１１１と係止軸１２の係止部１２１，１２１との間の寸法は、対応する被係止部２０１，２０１と被係止部２０２，２０２との間の寸法よりも僅かに大きくされている。
【００２８】
フレーム本体１に押さえ板２を取り付ける際、孔２０ａに係止軸１１，１２を嵌入させつつ主板部２０（押さえ板２）を押し下げると、図８に示すように、主板部２０の被係止部２０１，２０２が係止軸１１，１２の係止部１１１，１２１に当接しながら当該係止軸１１，１２が中心軸線Ｏｘに近づくように弾性変形する。本実施形態では、孔２０ａを囲う主板部２０についても、僅かに広がるように弾性変形する。さらに、押さえ板２を押し下げると、被係止部２０１，２０２が係止部１１１，１２１を通過し、図７に示すように、係止軸１１，１２は弾性復元力によって自然状態に戻る。なお、孔２０ａに係止軸１１，１２を嵌入するときの被係止部２０１，２０２および係止部１１１，１２１の互いの当接部位（当接部位２０１ａ，２０２ａおよび当接部位１１１ａ，１２１ａ）は、丸みを帯びている。このため、押さえ板２を押し下げるときの下向きの力が横方向の力に変換され、係止軸１１，１２に対して効率よく中心軸線に向かう方向（図８における矢印方向）の力を与えることができる。このようにフレーム本体１に押さえ板２が取り付けられると、押さえ板２を上方に移動させようとしても、主板部２０（押さえ板２）の被係止部２０１，２０２に一対の係止軸１１，１２の係止部１１１，１２１が係合し、押さえ板２の移動が制限される。
【００２９】
次に、上記構成の装飾物保持具Ａの使用方法および作用について、図９〜図１３を参照して説明する。
【００３０】
本実施形態の装飾物保持具Ａは、複数の用途に使用することが可能であり、たとえばくるみボタン、ブローチ、および髪飾りとして使用することができる。
【００３１】
装飾物保持具Ａをくるみボタンとして使用する場合について説明する。図９に示すように、フレーム本体１の主板部１０の表面（図９における下面）を、たとえば飾り布Ｃで覆い、当該飾り布Ｃの周縁部分を主板部２０の内側に折り込む。なお、必要に応じて、飾り布Ｃの周縁部分に予めぐし縫いを施しておいてもよい。この場合、飾り布Ｃをフレーム本体１に被せた後に糸を絞ると、飾り布Ｃに皺が寄るのを抑制することができる。
【００３２】
次に、フレーム本体１に押さえ板２を取り付ける。押さえ板２の取付けは、押さえ板２の孔２０ａにフレーム本体１の係止軸１１，１２を嵌入させつつ主板部２０（押さえ板２）を押し下げることにより行う。図１０に示すように、押さえ板２を取り付けた状態において、板状部１０と押さえ板２との間に飾り布Ｃの周縁部分が介在している。
【００３３】
次に、図１１に示すように、一対の可動アーム２１，２１を起こしてループ状にする。そして、ループ状となった可動アーム２１，２１は、装飾物保持具Ａ（くるみボタン）を衣服等に縫い付けるときの糸通し用の孔として利用することができる。
【００３４】
次に、装飾物保持具Ａをブローチとしてとして使用する場合について説明する。ブローチとして使用する場合、装飾物保持具Ａにブローチ用の金具を装着する。まず、図１２に示すように、押さえ板２（主板部２０）上の一対の起立壁２４，２４の間に金具３を載せる。金具３は、所定幅で一定方向に延びる取付部３１を有する。取付部３１の幅寸法は、起立壁２４，２４間の寸法よりも小さく、かつ係止部２４１，２４１間の寸法より大きい。また、取付部３１には、長手方向に離間する位置に、厚さ方向に貫通する一対の取付用孔３１１，３１１が形成されている。詳細は後述するが、取付用孔３１１，３１１は、押さえ板２の突起１１２，１２２が嵌入する部分である。
【００３５】
次に、金具３を載せた状態の押さえ板２を、飾り布Ｃを装着したフレーム本体１に取り付ける。ここで、金具３の取付用孔３１１，３１１の中心間距離は、自然状態における押さえ板２の突起１１２，１２２の中心間距離よりも僅かに小さい。また、各取付用孔３１１のサイズは、突起１１２（１２２）の高さ方向に垂直な断面のサイズよりも僅かに大きい。
【００３６】
押さえ板２をフレーム本体１に取り付ける際、押さえ板２の孔２０ａにフレーム本体１の係止軸１１，１２を嵌入させつつ、金具３とともに押さえ板２を押し下げる。そうすると、係止軸１１，１２が中心軸線Ｏｘに近づくのにともない、係止軸１１，１２の先端にある突起１１２，１２２の中心間距離も少し小さくなり、突起１１２，１２２が一対の取付用孔３１１，３１１に嵌まる。さらに押さえ板２を押し下げると、被係止部２０１，２０２が係止部１１１，１２１を通過し、係止軸１１，１２は弾性復元力によって自然状態に戻る（図１３参照）。図１３に示した金具３は、取付用孔３１１，３１１に嵌まる突起１１２，１２２によって方向ｘへの変位が抑制され、また、突起１１２，１２２に設けられた係止部１１３，１２３によって脱落が防止される。また、取付部３１の幅方向両端は、起立壁２４，２４から対向状に延びる係止部２４１，２４１によって覆われており、係止部２４１，２４１によっても金具３の脱落が防止される。
【００３７】
したがって、本実施形態によれば、押さえ板２とともに金具３を押し下げといった簡単な操作で金具３を装飾物保持具Ａに装着可能である。また、装着された金具３は係止部１１３，１２３および係止部２４１，２４１の協働によって装飾物保持具Ａに強固に固定されており、丈夫なブローチを提供することが可能である。
【００３８】
次に、装飾物保持具Ａを髪飾りと使用する場合について説明する。髪飾りとして使用する場合、図９〜図１１を参照して上述した、くるみボタンとして使用する場合と同様の手順を行い、図１１に示した状態にする。ここで、ループ状となった一対の可動アーム２１，２１については、主板部２０との間に比較的大きな空間が形成されることになり、たとえば直径３〜４ｍｍ程度のヘアゴムを通すことが可能である。そして、ループ状の可動アーム２１，２１にヘアゴムを通して毛髪に巻き付けると、装飾物保持具Ａを髪飾りとして使用することができる。
【００３９】
このように、本実施形態の装飾物保持具Ａによれば、フレーム本体１と押さえ板２との係合構造等を工夫することにより、複数の用途において使用することができる。
【００４０】
以上、本発明の具体的な実施形態を説明したが、本発明はこれに限定されるものではなく、発明の思想から逸脱しない範囲内で種々な変更が可能である。本発明に係る装飾物保持具の具体的な形状や材質なども、上記実施形態に限定されるものではない。      
【００４１】
上記実施形態においては、フレーム本体１が円形である場合について説明したが、フレーム本体の形状は、たとえば楕円形など他の形状を採用してもよい。
【００４２】
本発明に係る装飾物保持具によって保持される装飾物としては、羊毛刺しゅう、ビーズ刺しゅうなどの種々の刺しゅう作品、あるいはパッチワークなどの飾り布の他に、ニット、ビーズ織物など手芸分野の作品、さらに、厚さが比較的に小さい柔軟な物品が挙げられる。
【符号の説明】
【００４３】
Ａ        装飾物保持具
ｘ        方向（第２方向）
ｙ        方向（第３方向）
ｚ        方向（第１方向）
１        フレーム本体
１０      板状部
１１，１２    係止軸
１１１，１２１    係止部（第１係止部）
１１２，１２２    突起
１１３，１２３    係止部（第３係止部）
２        押さえ板
２０      主板部
２０ａ    孔
２１      可動アーム
２１１    連結部分
２２，２３    スリット
２４      起立壁
２４１    係止部（第２係止部）
２０１，２０２    被係止部
【図１】
0005940112.tif 000002
【図２】
0005940112.tif 000003
【図３】
0005940112.tif 000004
【図４】
0005940112.tif 000005
【図５】
0005940112.tif 000006
【図６】
0005940112.tif 000007
【図７】
0005940112.tif 000008
【図８】
0005940112.tif 000009
【図９】
0005940112.tif 000010
【図１０】
0005940112.tif 000011
【図１１】
0005940112.tif 000012
【図１２】
0005940112.tif 000013
【図１３】
0005940112.tif 000014